【手続補正書】
【提出日】平成26年2月4日(2014.2.4)
【手続補正１】
【補正対象書類名】明細書
【補正対象項目名】０００９
【補正方法】変更
【補正の内容】
【０００９】
そのために本発明では、ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを２つ以上含む前記記録媒体の複数の画素領域にドットを記録するための記録データを生成する記録データ生成装置であって、前記複数の画素領域に形成すべき画像の多値データそれぞれに基づいて、前記多値データそれぞれのレベルに応じた数のドットを記録する前記複数の画素領域それぞれのエリアを決定する決定手段を有し、前記決定手段は、前記交差方向に連続する複数の画素領域それぞれに対応する多値データのレベルが、前記交差方向における前記エリアの数よりも１少ない数のドットを前記画素領域に記録することを定めるレベルの多値データである場合に、前記所定方向における位置が同じである前記交差方向に連続する複数の画素領域それぞれについて、前記交差方向における位置が互いに異なる行のうち、所定の１つの行に属するエリアにドットを記録せず、前記所定の１つの行と異なる行に属するエリアにドットを記録するように前記ドットを記録するエリアを決定し、かつ各画素領域内での前記所定の１つの行の前記交差方向における位置が互いに同じになり、前記交差方向に連続する複数の画素領域それぞれの前記他の行に属するエリアに記録されるドットの配置が異なるように前記ドットを記録するエリアを決定する、ことを特徴とする。
【手続補正２】
【補正対象書類名】特許請求の範囲
【補正対象項目名】全文
【補正方法】変更
【補正の内容】
【特許請求の範囲】
【請求項１】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを２つ以上含む前記記録媒体の複数の画素領域にドットを記録するための記録データを生成する記録データ生成装置であって、
前記複数の画素領域に形成すべき画像の多値データそれぞれに基づいて、前記多値データそれぞれのレベルに応じた数のドットを記録する前記複数の画素領域それぞれのエリアを決定する決定手段を有し、
前記決定手段は、前記交差方向に連続する複数の画素領域それぞれに対応する多値データのレベルが、前記交差方向における前記エリアの数よりも１少ない数のドットを前記画素領域に記録することを定めるレベルの多値データである場合に、前記所定方向における位置が同じである前記交差方向に連続する複数の画素領域それぞれについて、前記交差方向における位置が互いに異なる行のうち、所定の１つの行に属するエリアにドットを記録せず、前記所定の１つの行と異なる行に属するエリアにドットを記録するように前記ドットを記録するエリアを決定し、かつ各画素領域内での前記所定の１つの行の前記交差方向における位置が互いに同じになり、前記交差方向に連続する複数の画素領域それぞれの前記他の行に属するエリアに記録されるドットの配置が異なるように前記ドットを記録するエリアを決定する、ことを特徴とする記録データ生成装置。
【請求項２】
前記多値データのレベルに応じた前記画素領域内のエリアそれぞれについてのドットの記録または非記録を定める濃度パターンを格納する格納手段を有し、
前記決定手段は、前記多値データのレベルおよび前記濃度パターンに基づいて前記ドットを記録するエリアを決定することを特徴とする請求項１に記載の記録データ生成装置。
【請求項３】
前記画素領域は前記所定方向に３以上のエリアを有し、前記決定手段は、前記交差方向における位置が互いに異なる行のうち、所定の１つの行に属するエリアにドットを記録せず、前記所定の１つの行と異なる各行にドットを記録するように前記ドットを記録するエリアを決定することを特徴とする請求項１または２に記録データ生成装置。
【請求項４】
前記画素領域において前記所定方向と交差方向のエリアの数が同一であることを特徴とする請求項１乃至３のいずれか１項に記載の記録データ生成装置。
【請求項５】
前記画素領域において前記所定方向と交差方向のエリアの数が異なることを特徴とする請求項１乃至４のいずれか１項に記載の記録データ生成装置。
【請求項６】
前記所定方向に隣接する前記複数の画素領域同士で、前記交差方向に連続する複数の画素領域それぞれに対応する多値データのレベルが同じである場合に、前記決定手段は、前記所定方向における位置が異なる前記複数の画素領域の群について、各画素領域内での前記所定の一つの行の前記交差方向における位置が互いに同じになるように前記ドットを記録するエリアを決定することを特徴とする請求項１乃至５のいずれか１項に記載の記録データ生成装置。
【請求項７】
前記所定方向に隣接する前記複数の画素領域同士で、前記交差方向に連続する複数の画素領域それぞれに対応する多値データのレベルが同じである場合に、前記決定手段は、前記所定方向における位置が異なる前記複数の画素領域の群について、
各画素領域内での前記所定の１つの行の前記交差方向における位置が互いに異なるように前記ドットを記録するエリアを決定することを特徴とする請求項１乃至６のいずれか１項に記載の記録データ生成装置。
【請求項８】
前記所定方向に連続する複数の画素領域それぞれに対応する多値データのレベルが、前記交差方向における前記エリアの数よりも１少ない数のドットを前記画素領域に記録することを定めるレベルの多値データである場合に、前記決定手段は、前記交差方向における位置が同じである前記所定方向に連続する複数の画素領域それぞれについて、前記交差方向における位置が互いに異なる前記行のうち、所定の一つの行に属するエリアにドットを記録せず、前記所定の１つの行と異なる行に属するエリアにドットを記録し、かつ、各画素領域内での前記所定の１つの行の前記所定方向における位置が互いに同じになるように、前記ドットを記録するエリアを決定することを特徴とするとする請求項１乃至７のいずれか１項に記載の記録データ生成装置。
【請求項９】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを３つ以上含む前記記録媒体の複数の画素領域にドットを記録するための記録データを生成する記録データ生成装置であって、
前記複数の画素領域に形成すべき画像の多値データそれぞれに基づいて、前記多値データそれぞれのレベルに応じた数のドットを記録する前記複数の画素領域それぞれのエリアを決定する決定手段を有し、
前記決定手段は、前記交差方向に連続する複数の画素領域それぞれに対応する多値データのレベルが、前記交差方向における前記エリアの数よりも２少ない数のドットを前記画素領域に記録することを定めるレベルの多値データである場合に、前記所定方向における位置が同じである前記交差方向に連続する複数の画素領域それぞれについて、前記交差方向における位置が互いに異なる行のうち、所定の２つの行に属するエリアにドットを記録せず、前記所定の２つの行と異なる行に属するエリアにドットを記録するように前記ドットを記録するエリアを決定し、かつ各画素領域内での前記所定の２つの行の前記交差方向における位置が互いに同じになり、前記交差方向に連続する複数の画素領域それぞれの前記他の行に属するエリアに記録されるドットの配置が異なるように前記ドットを記録するエリアを決定する、ことを特徴とする記録データ生成装置。
【請求項１０】
前記画素領域は前記所定方向に４つ以上のエリアを有し、前記決定手段は、前記交差方向における位置が互いに異なる行のうち、所定の２つの行に属するエリアにドットを記録せず、前記所定の２つの行と異なる各行にドットを記録するように前記ドットを記録するエリアを決定することを特徴とする請求項９に記載の記録データ生成装置。
【請求項１１】
前記画素領域において前記所定方向と交差方向のエリアの数が同一であることを特徴とする請求項９または１０に記載の記録データ生成装置。
【請求項１２】
前記多値データのレベルに応じた前記画素領域内のエリアそれぞれについてのドットの記録または非記録を定める濃度パターンを格納する格納手段を有し、
前記決定手段は、前記多値データのレベルおよび前記濃度パターンに基づいて前記ドットを記録するエリアを決定することを特徴とする請求項９乃至１１のいずれか１項に記載の記録データ生成装置。
【請求項１３】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを２つ以上含む前記記録媒体の複数の画素領域にドットを記録するための記録データを生成する記録データ生成装置であって、
前記複数の画素領域に形成すべき画像の多値データそれぞれに基づいて、前記多値データそれぞれのレベルに応じた数のドットを記録する前記複数の画素領域それぞれのエリアを決定する決定手段を有し、
前記決定手段は、前記所定方向に連続する複数の画素領域それぞれに対応する多値データのレベルが、前記所定方向における前記エリアの数よりも１少ない数のドットを前記画素領域に記録することを定めるレベルの多値データである場合に、前記交差方向における位置が同じである前記所定方向に連続する複数の画素領域それぞれについて、前記所定方向における位置が互いに異なる行のうち、所定の１つの行に属するエリアにドットを記録せず、前記所定の１つの行と異なる行に属するエリアにドットを記録するように前記ドットを記録するエリアを決定し、かつ各画素領域内での前記所定の１つの行の前記所定方向における位置が互いに同じになり、前記所定方向に連続する複数の画素領域それぞれの前記他の行に属するエリアに記録されるドットの配置が異なるように前記ドットを記録するエリアを決定する、ことを特徴とする記録データ生成装置。
【請求項１４】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを３つ以上含む前記記録媒体の複数の画素領域にドットを記録するための記録データを生成する記録データ生成装置であって、
前記複数の画素領域に形成すべき画像の多値データそれぞれに基づいて、前記多値データそれぞれのレベルに応じた数のドットを記録する前記複数の画素領域それぞれのエリアを決定する決定手段を有し、
前記決定手段は、前記所定方向に連続する複数の画素領域それぞれに対応する多値データのレベルが、前記所定方向における前記エリアの数よりも２少ない数のドットを前記画素領域に記録することを定めるレベルの多値データである場合に、前記交差方向における位置が同じである前記所定方向に連続する複数の画素領域それぞれについて、前記所定方向における位置が互いに異なる行のうち、所定の２つの行に属するエリアにドットを記録せず、前記所定の２つの行と異なる行に属するエリアにドットを記録するように前記ドットを記録するエリアを決定し、かつ各画素領域内での前記所定の２つの行の前記所定方向における位置が互いに同じになり、前記所定方向に連続する複数の画素領域それぞれの前記他の行に属するエリアに記録されるドットの配置が異なるように前記ドットを記録するエリアを決定する、ことを特徴とする記録データ生成装置。
【請求項１５】
前記記録ヘッドが有するドットを記録するため複数の記録素子は前記交差方向に配列されていることを特徴とする請求項１乃至１４のいずれか１項に記載の記録データ生成装置。
【請求項１６】
前記記録ヘッドおよび前記記録ヘッドと前記記録媒体とを所定方向に相対的に走査させる走査手段をさらに有することを特徴とする請求項１乃至１５のいずれか１項に記載の記録データ生成装置。
【請求項１７】
前記記録媒体を前記交差方向に搬送する搬送手段をさらに有することを特徴とする請求項１乃至１６のいずれか１項に記載の記録データ生成装置。
【請求項１８】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを２つ以上含む前記記録媒体の複数の画素領域にドットを記録するための記録データを生成する記録データ生成方法であって、
前記複数の画素領域に形成すべき画像の多値データそれぞれに基づいて、前記多値データそれぞれのレベルに応じた数のドットを記録する前記複数の画素領域それぞれのエリアを決定する決定工程を有し、
前記決定工程は、前記交差方向に連続する複数の画素領域それぞれに対応する多値データのレベルが、前記交差方向における前記エリアの数よりも１少ない数のドットを前記画素領域に記録することを定めるレベルの多値データである場合に、前記所定方向における位置が同じである前記交差方向に連続する複数の画素領域それぞれについて、前記交差方向における位置が互いに異なる行のうち、所定の１つの行に属するエリアにドットを記録せず、前記所定の１つの行と異なる行に属するエリアにドットを記録するように前記ドットを記録するエリアを決定し、かつ各画素領域内での前記所定の１つの行の前記交差方向における位置が互いに同じになり、前記交差方向に連続する複数の画素領域それぞれの前記他の行に属するエリアに記録されるドットの配置が異なるように前記ドットを記録するエリアを決定する、ことを特徴とする記録データ生成方法。
【請求項１９】
前記多値データのレベルに応じた前記画素領域内のエリアそれぞれについてのドットの記録または非記録を定める濃度パターンを格納する格納工程を有し、
前記決定工程は、前記多値データのレベルおよび前記濃度パターンに基づいて前記ドットを記録するエリアを決定することを特徴とする請求項１８に記載の記録データ生成方法。
【請求項２０】
前記画素領域は前記所定方向に３以上のエリアを有し、前記決定工程は、前記交差方向における位置が互いに異なる行のうち、所定の１つの行に属するエリアにドットを記録せず、前記所定の１つの行と異なる各行にドットを記録するように前記ドットを記録するエリアを決定することを特徴とする請求項１８または１９に記録データ生成方法。
【請求項２１】
前記画素領域において前記所定方向と交差方向のエリアの数が同一であることを特徴とする請求項１８乃至２０のいずれか１項に記載の記録データ生成方法。
【請求項２２】
前記画素領域において前記所定方向と交差方向のエリアの数が異なることを特徴とする請求項１８乃至２１のいずれか１項に記載の記録データ生成方法。
【請求項２３】
前記所定方向に隣接する前記複数の画素領域同士で、前記交差方向に連続する複数の画素領域それぞれに対応する多値データのレベルが同じである場合に、前記決定工程は、前記所定方向における位置が異なる前記複数の画素領域の群について、各画素領域内での前記所定の一つの行の前記交差方向における位置が互いに同じになるように前記ドットを記録するエリアを決定することを特徴とする請求項１８乃至２２のいずれか１項に記載の記録データ生成方法。
【請求項２４】
前記所定方向に隣接する前記複数の画素領域同士で、前記交差方向に連続する複数の画素領域それぞれに対応する多値データのレベルが同じである場合に、前記決定工程は、前記所定方向における位置が異なる前記複数の画素領域の群について、各画素領域内での前記所定の１つの行の前記交差方向における位置が互いに異なるように前記ドットを記録するエリアを決定することを特徴とする請求項１８乃至２３のいずれか１項に記載の記録データ生成方法。
【請求項２５】
前記所定方向に連続する複数の画素領域それぞれに対応する多値データのレベルが、前記交差方向における前記エリアの数よりも１少ない数のドットを前記画素領域に記録することを定めるレベルの多値データである場合に、前記決定工程は、前記交差方向における位置が同じである前記所定方向に連続する複数の画素領域それぞれについて、前記交差方向における位置が互いに異なる前記行のうち、所定の一つの行に属するエリアにドットを記録せず、前記所定の１つの行と異なる行に属するエリアにドットを記録し、かつ、各画素領域内での前記所定の１つの行の前記所定方向における位置が互いに同じになるように、前記ドットを記録するエリアを決定することを特徴とするとする請求項１８乃至２４のいずれか１項に記載の記録データ生成方法。
【請求項２６】
ドットを記録するための記録ヘッドと記録媒体とを所定方向に相対的に走査させることによって前記記録媒体にドットを記録することにより画像を形成するために、前記所定方向および前記所定方向と交差する交差方向それぞれにドット記録のためのエリアを２つ以上含む前記記録媒体の複数の画素領域にドットを記録するための記録データを生成する記録データ生成方法であって、
前記複数の画素領域に形成すべき画像の多値データそれぞれに基づいて、前記多値データそれぞれのレベルに応じた数のドットを記録する前記複数の画素領域それぞれのエリアを決定する決定工程を有し、
前記決定工程は、前記所定方向に連続する複数の画素領域それぞれに対応する多値データのレベルが、前記所定方向における前記エリアの数よりも１少ない数のドットを前記画素領域に記録することを定めるレベルの多値データである場合に、前記交差方向における位置が同じである前記所定方向に連続する複数の画素領域それぞれについて、前記所定方向における位置が互いに異なる行のうち、所定の１つの行に属するエリアにドットを記録せず、前記所定の１つの行と異なる行に属するエリアにドットを記録するように前記ドットを記録するエリアを決定し、かつ各画素領域内での前記所定の１つの行の前記所定方向における位置が互いに同じになり、前記所定方向に連続する複数の画素領域それぞれの前記他の行に属するエリアに記録されるドットの配置が異なるように前記ドットを記録するエリアを決定する、ことを特徴とする記録データ生成方法。
【請求項２７】
前記記録ヘッドが有するドットを記録するため複数の記録素子は前記交差方向に配列されていることを特徴とする請求項１８乃至２６のいずれか１項に記載の記録データ生成方法。